(57)【要約】【課題】本願が開示する技術は、一つの側面として、シール部の破損を抑制することを目的とする。【解決手段】防水型情報処理装置１０は、筐体２０と、スイッチ３２と、押し部材８０と、キートップ６０と、を備える。筐体２０は、貫通孔５０を有する外周壁部２４を備える。スイッチ３２は、筐体２０の外周壁部２４の内側に配置され、貫通孔５０と対向する。押し部材８０は、貫通孔５０に挿入され、スイッチ３２に対して接離する。キートップ６０は、筐体２０の外周壁部２４の外側に配置され、押し部材８０を介してスイッチ３２を押す。また、押し部材８０は、芯部材８２と、シール部９４とを有する。芯部材８２は、貫通孔５０内に少なくとも一部が配置される。シール部９４は、芯部材８２の外周面８６Ａに設けられ、貫通孔５０の内周面５０Ａに密着されるとともに当該内周面５０Ａに対して摺動する。【選択図】図３
2019071254.tif 000002
【特許請求の範囲】
【請求項１】
貫通孔を有する壁部を備える筐体と、
前記筐体の前記壁部の内側に配置され、前記貫通孔と対向するスイッチと、
前記貫通孔に挿入され、前記スイッチに対して接離する押し部材と、
前記筐体の前記壁部の外側に配置され、前記押し部材を介して前記スイッチを押すキートップと、
を備え、
前記押し部材は、
前記貫通孔内に少なくとも一部が配置される芯部材と、
前記芯部材の外周面に設けられ、前記貫通孔の内周面に密着されるとともに該内周面に対して摺動するシール部と、
を有する、
防水型情報処理装置。
【請求項２】
前記押し部材は、前記芯部材の前記外周面を囲むとともに該外周面に固定される筒状部を有し、
前記シール部は、前記筒状部と一体化され、該筒状部の外周面から突出する、
請求項１に記載の防水型情報処理装置。
【請求項３】
前記筒状部の前記外周面と前記貫通孔の前記内周面との間に、隙間を有する、
請求項２に記載の防水型情報処理装置。
【請求項４】
前記キートップは、前記芯部材の一端部を支点として揺動可能に前記押し部材に支持される、
請求項１〜請求項３の何れか１項に記載の防水型情報処理装置。
【請求項５】
前記押し部材は、前記芯部材の前記一端部に設けられる弾性部を有し、
前記芯部材の前記一端部は、前記弾性部を介して前記キートップを支持する、
請求項４に記載の防水型情報処理装置。
【請求項６】
前記筐体は、前記キートップと係合し、該キートップの前記壁部から離れる方向の変位を制限するストッパ部を有し、
前記弾性部は、前記キートップを前記ストッパ部側へ付勢する、
請求項５に記載の防水型情報処理装置。
【請求項７】
前記弾性部には、当該弾性部から両側へそれぞれ張り出す一対の張出し部が設けられる、
請求項５又は請求項６に記載の防水型情報処理装置。
【請求項８】
前記一対の張出し部の先端側は、前記キートップ側へ向けてそれぞれ屈曲される、
請求項７に記載の防水型情報処理装置。
【発明の詳細な説明】
【技術分野】
【０００１】
本願が開示する技術は、防水型情報処理装置に関する。
【背景技術】
【０００２】
筐体と、筐体に設けられる押しボタンスイッチとを備える情報処理装置がある（例えば、特許文献１参照）。この種の押しボタンスイッチは、スイッチと、押し部材と、シール材と、キートップとを備える。
【０００３】
スイッチは、筐体内に収容される。押し部材は、筐体の外周壁に形成された貫通孔に挿入され、スイッチと対向する。シール材は、押し部材の外周面から張り出し、貫通孔の内周面に固定される。このシール材によって、押し部材の外周面と貫通孔の内周面との隙間が密閉される。また、キートップは、外周壁の外側に配置される。このキートップは、操作者によって押されることにより、押し部材を介してスイッチを押す。
【先行技術文献】
【特許文献】
【０００４】
【特許文献１】特開２０１２−０２８１７５号公報
【発明の概要】
【発明が解決しようとする課題】
【０００５】
ここで、上記の押し部材は、シール材によって外周壁から吊り下げられる。そのため、キートップによって押し部材がスイッチ側へ押されると、シール材が弾性変形する。したがって、操作者がキートップを繰り返し押すと、シール材が破損する可能性がある。
【０００６】
本願が開示する技術は、一つの側面として、シール部の破損を抑制することを目的とする。
【課題を解決するための手段】
【０００７】
本願が開示する技術では、防水型情報処理装置は、筐体と、スイッチと、押し部材と、キートップと、を備える。筐体は、貫通孔を有する壁部を備える。スイッチは、筐体の壁部の内側に配置され、貫通孔と対向する。押し部材は、貫通孔に挿入され、スイッチに対して接離する。キートップは、筐体の壁部の外側に配置され、押し部材を介してスイッチを押す。また、押し部材は、芯部材と、シール部とを有する。芯部材は、貫通孔内に少なくとも一部が配置される。シール部は、芯部材の外周面に設けられ、貫通孔の内周面に密着されるとともに当該内周面に対して摺動する。
【発明の効果】
【０００８】
本願が開示する技術によれば、一つの側面として、シール部の破損を抑制することができる。
【図面の簡単な説明】
【０００９】
【図１】図１は、一実施形態に係る防水型情報処理装置を示す斜視図である。
【図２】図２は、図１に示される押しボタンスイッチを示す分解斜視図である。
【図３】図３は、図１の３−３線断面図に対応する分解断面図である。
【図４】図４は、図１の３−３線断面図である。
【図５Ａ】図５Ａは、図４の５Ａ−５Ａ線断面図である。
【図５Ｂ】図５Ｂは、図４の５Ｂ−５Ｂ線断面図である。
【図６】図６は、操作者によってキートップが押された状態を示す図４に対応する断面図である。
【図７】図７は、操作者によってキートップが押された状態を示す図４に対応する断面図である。
【図８】図８は、押し部材の変形例を示す図４に対応する断面図である。
【図９】図９は、押し部材の変形例を示す図４に対応する断面図である。
【発明を実施するための形態】
【００１０】
以下、本願が開示する技術の一実施形態について説明する。
【００１１】
（防水型情報処理装置）
図１に示されるように、本実施形態に係る防水型情報処理装置１０は、例えば、タブレット端末、又は携帯電話等の携帯型の情報処理装置とされる。この防水型情報処理装置１０は、表示器１２と、筐体２０と、押しボタンスイッチ３０とを備える。
【００１２】
（表示器）
表示器１２は、例えば、タッチパネルモジュールを有する液晶表示器とされる。また、表示器１２は、厚み方向（矢印Ｔ方向）から見て、矩形状に形成される。この表示器１２は、画像及び映像等を表示する表示面１２Ａを有する。また、表示面１２Ａは、操作者がタッチ操作可能な操作面とされる。この表示器１２は、筐体２０に収容される。
【００１３】
（筐体）
筐体２０は、表示器１２の後面（表示面１２Ａと反対側の面）を覆う薄型の箱状に形成される。この筐体２０は、後壁部２２と、外周壁部（外装壁部）２４とを有する。後壁部２２は、表示器１２の後面と対向する。
【００１４】
外周壁部２４は、後壁部２２の外周部に沿って設けられる。また、外周壁部２４は、表示器１２の外周部に沿った環状に形成される。なお、外周壁部２４は、筐体２０の壁部の一例である。
【００１５】
図２及び図３に示されるように、筐体２０の一端部（一辺）に沿った外周壁部２４の外面２４Ａには、後述するキートップ６０及び押し部材８０を収容する凹部４０が形成される。凹部４０は、外周壁部２４の外面２４Ａを開口する収容口４２を有する。収容口４２は、筐体２０の一端部（一辺）に沿った長孔状に形成される。
【００１６】
図３に示されるように、凹部４０は、底壁部４０Ａと、一対の側壁部４０Ｂとを有する。底壁部４０Ａは、筐体２０の一端部に沿って延びる。一対の側壁部４０Ｂは、底壁部４０Ａの長手方向の両側の端部から外周壁部２４の外面２４Ａ側へ延出される。この一対の側壁部４０Ｂにおける収容口４２側には、一対の段部４４が設けられる。
【００１７】
一対の段部４４は、一対の側壁部４０Ｂから凹部４０内へそれぞれ突出する。この一対の段部４４には、後述する抜止め部材７０の一対のストッパ部７０Ａが係合される。
【００１８】
凹部４０の底壁部４０Ａには、貫通孔５０が形成される。貫通孔５０は、凹部４０の底壁部４０Ａを厚み方向に貫通する円形状の孔とされる。この貫通孔５０の内周面５０Ａには、位置決め部５２が設けられる。
【００１９】
位置決め部５２は、貫通孔５０の内周面５０Ａから突出される。また、位置決め部５２は、貫通孔５０の内周面５０Ａに沿った環状に形成される。この位置決め部５２の中央部には、位置決め孔５４が形成される。位置決め孔５４は、円形状の孔とされる。この位置決め孔５４は、貫通孔５０と同軸上に配置される。また、位置決め孔５４の内周面は、後述する芯部材８２の小径部８４の外周面と対向する。
【００２０】
（押しボタンスイッチ）
図２及び図３に示されるように、筐体２０の一端部に沿った外周壁部２４には、押しボタンスイッチ３０が設けられる。押しボタンスイッチ３０は、スイッチ３２（図３参照）と、キートップ６０と、抜止め部材７０と、押し部材８０とを有する。
【００２１】
（スイッチ）
図３に示されるように、筐体２０には、スイッチ３２が収容される。スイッチ３２は、例えば、ドームスイッチ等のタクタイルスイッチとされる。このスイッチ３２は、外周壁部２４の内側に配置される。また、スイッチ３２は、スイッチ基板３４に実装される。スイッチ基板３４は、図示しないプリント基板（メインボード）と電気的に接続される。
【００２２】
スイッチ３２は、スイッチベース部３２Ａと、ボタン部３２Ｂとを有する。スイッチベース部３２Ａは、外周壁部２４と対向する。ボタン部３２Ｂは、スイッチベース部３２Ａにおける外周壁部２４側に設けられ、貫通孔５０と対向する。このボタン部３２Ｂは、スイッチ３２に設けられた図示しない弾性体の付勢力によって、スイッチベース部３２Ａから突起状に突出される。そして、ボタン部３２Ｂがスイッチベース部３２Ａから突出した状態では、スイッチ３２がオフ状態（非通電状態）となる。
【００２３】
一方、後述する押し部材８０によってボタン部３２Ｂがスイッチベース部３２Ａ内へ押し込まれると、スイッチ３２がオン状態（通電状態）となる。スイッチ３２がオン状態になると、例えば、スイッチ３２から電気信号がスイッチ基板３４に送信される。
【００２４】
（キートップ）
キートップ６０は、筐体２０の外周壁部２４に形成された凹部４０に収容される。また、キートップ６０は、凹部４０の底壁部４０Ａに対して接離可能とされる。このキートップ６０は、例えば、樹脂等によって形成される。また、キートップ６０は、操作部６２及びベース部６４を有する。
【００２５】
操作部６２は、楕円柱状に形成される。また、操作部６２は、表面６２Ａ及び裏面６２Ｂを有する。表面６２Ａは、凹部４０の収容口４２から露出される。この表面６２Ａは、操作者の指によって凹部４０内へ押し込まれる操作面とされる。裏面６２Ｂは、表面６２Ａと反対側の面とされる。この裏面６２Ｂには、ベース部６４が設けられる。
【００２６】
ベース部６４は、操作部６２の裏面６２Ｂから凹部４０の底壁部４０Ａ側へ突出される。このベース部６４には、一対の係合部６６が設けられる。一対の係合部６６は、ベース部６４から操作部６２の長手方向（矢印Ｌ方向）の両側へ張り出す。この一対の係合部６６には、抜止め部材７０が係合される。
【００２７】
（抜止め部材）
図２に示されるように、抜止め部材７０は、凹部４０の収容口４２からキートップ６０が抜け出すことを抑制する部材である。この抜止め部材７０は、凹部４０にキートップ６０が収容された状態で、筐体２０の厚み方向から凹部４０に挿し込まれる。また、抜止め部材７０は、一対のストッパ部７０Ａと、一対のストッパ部７０Ａを連結する連結部７０Ｂとを有する。
【００２８】
図４に示されるように、一対のストッパ部７０Ａは、一対の段部４４に対して底壁部４０Ａ側に配置され、一対の段部４４にそれぞれ係合される。また、一対のストッパ部７０Ａは、キートップ６０の一対の係合部６６に対して収容口４２側（筐体２０の外側）に配置される。この一対のストッパ部７０Ａには、一対の係合部６６がそれぞれ係合される。これにより、キートップ６０が、凹部４０の底壁部４０Ａから離れる方向の変位が制限される。この一対のストッパ部７０Ａによって、キートップ６０が収容口４２から抜け出すことが抑制される。
【００２９】
（押し部材）
図３に示されるように、押し部材８０は、キートップ６０とスイッチ３２との間に配置される。この押し部材８０は、芯部材８２と、弾性部材９０とを有する。芯部材８２は、例えば、樹脂又は金属等の硬質部材によって形成される。
【００３０】
一方、弾性部材９０は、例えば、シリコン系潤滑剤等の潤滑剤が含浸されたゴム等の弾性体によって形成される。この弾性部材９０及び押し部材８０は、例えば、インサート成形等によって一体に形成される。なお、弾性部材９０は、潤滑剤等が含浸されていないゴム又はシリコン等の弾性体によって形成されても良い。
【００３１】
芯部材８２は、円柱状に形成される。また、芯部材８２は、凹部４０の底壁部４０Ａに形成された貫通孔５０内に配置される。この芯部材８２は、外径が異なる小径部８４及び大径部８６を有する。小径部８４及び大径部８６は、同軸上に配置される。
【００３２】
小径部８４は、大径部８６に対してスイッチ３２側に配置される。また、小径部８４の外径は、大径部８６の外径よりも小さくされる。この小径部８４は、位置決め孔５４に挿入される。また、小径部８４の端部８４Ｅは、位置決め孔５４からスイッチ３２側へ突出し、当該スイッチ３２のボタン部３２Ｂに接触とする。一方、大径部８６には、弾性部材９０が固定される。なお、小径部８４の端部８４Ｅは、芯部材８２の他端部の一例である。
【００３３】
（弾性部材）
弾性部材９０は、筒状部９２と、シール部９４と、弾性部９６と、一対の張出し部９８とを有する。筒状部９２は、円筒状に形成される。この筒状部９２は、大径部８６の外周面８６Ａを囲んだ状態で被覆する。また、筒状部９２は、大径部８６の外周面８６Ａに溶着等によって固定される。
【００３４】
図４に示されるように、筒状部９２は、貫通孔５０内に配置される。また、図５Ａに示されるように、筒状部９２の外周面９２Ａと貫通孔５０の内周面５０Ａとの間には、隙間Ｓが形成される。
【００３５】
図３に示されるように、筒状部９２の外周面９２Ａには、シール部９４が設けられる。シール部９４は、筒状部９２と一体に形成される。このシール部９４は、筒状部９２の外周面９２Ａから突出する。また、シール部９４は、筒状部９２の外周面９２Ａに沿った環状を成す。このシール部９４の外径は、筒状部９２の外径よりも大きくされる。
【００３６】
図４に示されるように、シール部９４は、大径部８６とともに貫通孔５０に圧入される。これにより、図５Ｂに示されるように、大径部８６の外周面８６Ａと貫通孔５０の内周面５０Ａとの間でシール部９４が圧縮され、貫通孔５０の内周面５０Ａにシール部９４が密着される。このシール部９４によって、筒状部９２の外周面９２Ａと貫通孔５０の内周面５０Ａとの隙間Ｓ（図５Ａ参照）が密閉される。また、シール部９４は、貫通孔５０の内周面５０Ａに対して摺動可能に密着される。
【００３７】
なお、弾性部材９０は、前述したように、潤滑剤が含浸された弾性体によって形成される。これにより、貫通孔５０の内周面５０Ａに対するシール部９４の摺動性が高められる。また、貫通孔５０の内周面５０Ａには、摩擦係数を低減する表面処理（低摩擦表面処理）等が施されても良い。これにより、貫通孔５０の内周面５０Ａに対するシール部９４の摺動性がさらに高められる。
【００３８】
図３に示されるように、弾性部９６は、大径部８６の端部８６Ｅを被覆するとともに、当該端部８６Ｅに溶着等によって固定される。また、弾性部９６は、筒状部９２と一体化される。この大径部８６の端部８６Ｅは、弾性部９６を介してキートップ６０のベース部６４に接触される。なお、大径部８６の端部８６Ｅは、芯部材８２の一端部の一例である。
【００３９】
弾性部９６には、一対の張出し部９８が設けられる。一対の張出し部９８は、弾性部９６と一体化されるとともに、弾性部９６からキートップ６０の長手方向（矢印Ｌ方向）の両側へ張り出す。この一対の張出し部９８の先端側には、キートップ６０側へ屈曲される屈曲片部９８Ａがそれぞれ設けられる。この一対の張出し部９８及び一対の屈曲片部９８Ａは、キートップ６０のベース部６４に接触される。
【００４０】
ここで、図４には、押しボタンスイッチ３０の初期状態が示される。この初期状態では、スイッチ３２のスイッチベース部３２Ａからボタン部３２Ｂが突出されており、スイッチ３２がオフ状態となる。
【００４１】
また、押しボタンスイッチ３０の初期状態では、スイッチ３２のボタン部３２Ｂによって、押し部材８０がキートップ６０側へ押される。これにより、キートップ６０の一対の係合部６６が、抜止め部材７０の一対のストッパ部７０Ａにそれぞれ圧接される。この結果、キートップ６０が初期状態で保持される。また、キートップ６０のガタツキが抑制される。
【００４２】
また、芯部材８２の端部８６Ｅは、弾性部９６を介してキートップ６０のベース部６４の中央部に圧接される。これにより、キートップ６０が、芯部材８２の端部８６Ｅを支点として揺動可能に押し部材８０に支持される。
【００４３】
また、弾性部材９０の一対の張出し部９８が、キートップ６０のベース部６４に接触される。この際、張出し部９８の先端側に設けられた屈曲片部９８Ａが、凹部４０の底壁部４０Ａ側へ弾性変形される。この一対の屈曲片部９８Ａの復元力によって、芯部材８２に対するキートップ６０の傾き（揺動）が抑制される。
【００４４】
（作用）
次に、本実施形態の作用について説明する。
【００４５】
先ず、操作者がキートップ６０の中央部を押した場合の押しボタンスイッチ３０の動作について説明する。
【００４６】
図４には、押しボタンスイッチ３０の初期状態が示される。この初期状態から、図６に矢印Ｆ１で示されるように、操作者が指でキートップ６０の表面６２Ａの中央部を凹部４０の奥側へ押し込むと、キートップ６０が押し部材８０を介してスイッチ３２のボタン部３２Ｂを押す。
【００４７】
具体的には、操作者が指でキートップ６０の表面６２Ａの中央部を凹部４０の奥側へ押し込むと、キートップ６０が凹部４０の底壁部４０Ａ側へ移動する。キートップ６０が底壁部４０Ａ側へ移動すると、キートップ６０によって押し部材８０がスイッチ３２側へ押される。これにより、押し部材８０の芯部材８２が貫通孔５０に沿ってスイッチ３２側へ移動する。この際、芯部材８２の大径部８６に設けられたシール部９４が、貫通孔５０の内周面５０Ａに対して摺動する。
【００４８】
芯部材８２が貫通孔５０に沿ってスイッチ３２側へ移動すると、芯部材８２の小径部８４によって、スイッチ３２のボタン部３２Ｂがスイッチベース部３２Ａ内へ押し込まれる。これにより、スイッチ３２がオフ状態からオン状態に切り替えられる。
【００４９】
次に、操作者がキートップ６０の表面６２Ａの中央部から指を離すと、図４に示されるように、スイッチ３２に設けられた図示しない弾性体の復元力（付勢力）によって、スイッチベース部３２Ａからボタン部３２Ｂが突出される。これにより、スイッチ３２がオン状態からオフ状態に切り替えられる。
【００５０】
また、スイッチベース部３２Ａからボタン部３２Ｂが突出すると、ボタン部３２Ｂによって押し部材８０がキートップ６０側へ押される。これにより、押し部材８０の芯部材８２が、貫通孔５０に沿ってキートップ６０側へ移動する。この際、芯部材８２の大径部８６に設けられたシール部９４が、貫通孔５０の内周面５０Ａに対して摺動する。
【００５１】
芯部材８２が貫通孔５０に沿ってキートップ６０側へ移動すると、押し部材８０によってキートップ６０が筐体２０の外側へ押される。これにより、キートップ６０の一対の係合部６６が、抜止め部材７０の一対のストッパ部７０Ａにそれぞれ係合され、キートップ６０が初期状態で保持される。
【００５２】
次に、操作者がキートップ６０の表面６２Ａの長手方向の一端側を押した場合の押しボタンスイッチ３０の動作について説明する。
【００５３】
図７に矢印Ｆ２で示されるように、操作者が指でキートップ６０の表面６２Ａの長手方向（矢印Ｌ方向）の一端側を凹部４０の奥側へ押し込むと、キートップ６０が芯部材８２の一端部を支点として傾きながら、押し部材８０を介してスイッチ３２のボタン部３２Ｂを押す。
【００５４】
具体的には、操作者が指でキートップ６０の表面６２Ａの長手方向の一端側を凹部４０の奥側へ押し込むと、キートップ６０が芯部材８２の端部８６Ｅを支点として傾く。この状態で、キートップ６０は、凹部４０の底壁部４０Ａ側へ移動する。これにより、前述したように、キートップ６０が、押し部材８０を介してスイッチ３２のボタン部３２Ｂを押す。この結果、スイッチ３２がオフ状態からオン状態に切り替えられる。
【００５５】
次に、操作者がキートップ６０の表面６２Ａの長手方向の一端側から指を離すと、図４に示されるように、スイッチ３２に設けられた図示しない弾性体の復元力によって、スイッチベース部３２Ａからボタン部３２Ｂが突出される。これにより、スイッチ３２がオン状態からオフ状態に切り替えられる。また、前述したように、キートップ６０が、初期状態に復帰される。
【００５６】
ここで、図７に示されるように、キートップ６０が芯部材８２の端部８６Ｅを支点として傾くと、矢印ａで示されるように、弾性部材９０の一方の張出し部９８及び屈曲片部９８Ａが凹部４０の底壁部４０Ａ側へ弾性変形する。なお、弾性部材９０の他方の張出し部９８では、屈曲片部９８Ａの弾性変形が復元し、矢印ｂで示されるように、屈曲片部９８Ａがキートップ６０側へ移動する。
【００５７】
この状態で、操作者がキートップ６０の表面６２Ａの長手方向の一端側から指を離すと、一方の張出し部９８及び屈曲片部９８Ａの復元力によって、キートップ６０の長手方向の一端側が筐体２０の外側へ押される。これにより、図４に示されるように、キートップ６０が初期状態に復帰する。
【００５８】
（効果）
次に、本実施形態の効果について説明する。
【００５９】
本実施形態によれば、押し部材８０は、芯部材８２を有する。この芯部材８２は、大径部８６を有する。大径部８６は、筐体２０の凹部４０の底壁部４０Ａに形成された貫通孔５０に挿入される。この大径部８６の外周面８６Ａには、シール部９４が設けられる。
【００６０】
シール部９４は、貫通孔５０の内周面５０Ａに密着される。このシール部９４によって、大径部８６の外周面８６Ａと貫通孔５０の内周面５０Ａとの隙間が密閉される。したがって、キートップ６０を収容する凹部４０の収容口４２から、貫通孔５０を介して筐体２０内に水等が浸入することが抑制される。
【００６１】
また、操作者によってキートップ６０が押された場合、シール部９４は、貫通孔５０の内周面５０Ａ上を摺動する。そのため、シール部９４の変形が抑制される。これにより、シール部９４の破損が抑制される。したがって、シール部９４の耐久性が高められる。
【００６２】
ここで、比較例として、例えば、大径部８６の外周面８６Ａ及び貫通孔５０の内周面５０Ａにシール材を固定し、大径部８６の外周面８６Ａと貫通孔５０の内周面５０Ａとの隙間を密閉することが考えられる。この比較例では、操作者によってキートップ６０が押されると、シール材が弾性変形する。そのため、操作者によってキートップ６０が繰り返し押されると、シール材の変形部が劣化して破損する可能性がある。また、シール材の変形部の破損を抑制するためにシール材の厚みを厚くすると、シール部の設置スペースが大きくなり、筐体２０の厚みが厚くなる可能性がある。
【００６３】
これに対して本実施形態では、前述したように、操作者によってキートップ６０が押された場合に、貫通孔５０の内周面５０Ａ上をシール部９４が摺動する。これにより、シール部９４の変形が抑制される。したがって、本実施形態では、上記比較例のシール材と比べて、シール部９４の劣化及び破損が抑制される。さらに、本実施形態では、上記比較例のシール材と比べ、シール部９４の厚みを薄くし、シール部９４の設置スペースを小さくすることができる。したがって、筐体２０の厚みを薄くことができる。つまり、本実施形態では、防水型情報処理装置１０の薄型化を図ることができる。
【００６４】
また、シール部９４は、例えば、潤滑剤が含浸された弾性体によって形成される。これにより、シール部９４が、貫通孔５０の内周面５０Ａに対して摺動し易くなる。したがって、操作者がキートップ６０を押し易くなるため、キートップ６０の操作性が向上する。さらに、操作者がキートップ６０から指を離した場合に、キートップ６０が初期状態に復帰し易くなる。
【００６５】
また、シール部９４は、筒状部９２の外周面９２Ａに設けられる。この筒状部９２は、大径部８６の外周面８６Ａを被覆するとともに、当該外周面８６Ａに固定される。これにより、大径部８６に対するシール部９４に接合強度が高められる。
【００６６】
さらに、筒状部９２には、弾性部９６が一体化される。この弾性部９６は、大径部８６の端部８６Ｅを被覆するとともに、当該端部８６Ｅに固定される。これにより、大径部８６に対するシール部９４の接合強度がさらに高められる。したがって、貫通孔５０の内周面５０Ａ上をシール部９４が摺動する際に、大径部８６からシール部９４が外れることが抑制される。
【００６７】
また、図５Ａに示されるように、筒状部９２の外周面９２Ａの貫通孔５０の内周面５０Ａとの間には、隙間Ｓが形成される。そのため、貫通孔５０の内周面５０Ａ上をシール部９４が摺動する際に、当該内周面５０Ａと筒状部９２の外周面９２Ａとの間に摩擦力が発生することが抑制される。したがって、キートップ６０の操作性がさらに高められる。
【００６８】
このように本実施形態では、大径部８６に対するシール部９４の接合強度を高めつつ、キートップ６０の操作性が高めることができる。
【００６９】
ここで、図７に矢印Ｆ２で示されるように、操作者によってキートップ６０の表面６２Ａの長手方向の一端側が押されると、キートップ６０が傾く。このキートップ６０の傾きに芯部材８２が追従すると、芯部材８２が貫通孔５０内で傾き、芯部材８２が貫通孔５０に沿って移動し難くなる。
【００７０】
これに対して本実施形態では、キートップ６０は、芯部材８２の端部８６Ｅを支点として揺動可能とされる。これにより、キートップ６０の傾きに芯部材８２が追従し、貫通孔５０内で芯部材８２が傾くことが抑制される。そのため、芯部材８２が貫通孔５０に沿って移動し易くなる。したがって、キートップ６０の操作性がさらに高められる。
【００７１】
また、キートップ６０が傾くと、例えば、キートップ６０の外周部が、凹部４０の側壁部４０Ｂ等に引っ掛かり、キートップ６０が初期状態に復帰し難くなる可能性がある。
【００７２】
この対策として本実施形態の弾性部９６には、一対の張出し部９８が設けられる。一対の張出し部９８は、弾性部９６からキートップ６０の長手方向の両側へ張り出す。そして、キートップ６０が傾くと、図７に矢印ａで示されるように、一対の張出し部９８のうち一方の張出し部９８が凹部４０の底壁部４０Ａ側へ弾性変形する。
【００７３】
この状態で、操作者がキートップ６０から指を離すと、凹部４０の底壁部４０Ａ側へ弾性変形した一方の張出し部９８の復元力によって、キートップ６０が筐体２０の外側へ押される。したがって、キートップ６０の初期状態に復帰し易くなる。
【００７４】
さらに、張出し部９８の先端側には、屈曲片部９８Ａが設けられる。屈曲片部９８Ａは、キートップ６０側へ向けて屈曲される。この屈曲片部９８Ａの復元力によって、キートップ６０の傾きがさらに抑制される。したがって、キートップ６０の初期状態にさらに復帰し易くなる。
【００７５】
また、貫通孔５０の内周面５０Ａには、位置決め部５２が設けられる。位置決め部５２は、貫通孔５０の内周面５０Ａから突出するとともに、シール部９４よりもスイッチ３２側で、芯部材８２の小径部８４の外周面８４Ａと対向する。この位置決め部５２により、芯部材８２の小径部８４が、スイッチ３２のボタン部３２Ｂに対して位置決められる。
【００７６】
これにより、例えば、キートップ６０が傾いた場合に、スイッチ３２のボタン部３２Ｂに対して芯部材８２の小径部８４が位置ずれすることが抑制される。したがって、キートップ６０の操作不良等が抑制される。
【００７７】
（変形例）
次に、上記の実施形態の変形例について説明する。
【００７８】
上記実施形態では、弾性部材９０の一対の張出し部９８に屈曲片部９８Ａが設けられる。しかしながら、屈曲片部９８Ａは、省略されても良い。
【００７９】
また、上記実施形態では、弾性部９６に一対の張出し部９８が設けられる。しかしながら、例えば、図８に示されるように、一対の張出し部９８は省略されても良い。
【００８０】
また、上記実施形態では、芯部材８２の端部８６Ｅに弾性部９６が設けられる。しかしながら、図９に示されるように、弾性部９６は省略されても良い。なお、弾性部９６が省略された場合は、例えば、キートップ６０が、芯部材８２の端部８６Ｅに接触される。
【００８１】
また、上記実施形態では、キートップ６０が、芯部材８２の端部８６Ｅを支点として揺動可能とされる。しかしながら、キートップは、芯部材の一端部に固定されても良い。この場合、キートップは、芯部材の一端部を支点として揺動しない。
【００８２】
また、上記実施形態では、弾性部９６及び筒状部９２が一体化される。しかしながら、弾性部９６と筒状部９２とは、別体とされても良い。また、上記実施形態では、芯部材８２の大径部８６の外周面８６Ａに筒状部９２が設けられる。しかしながら、筒状部９２は、省略されても良い。なお、筒状部９２が省略された場合は、シール部９４は、例えば、芯部材８２の大径部８６の外周面８６Ａに溶着等によって固定される。
【００８３】
また、上記実施形態では、芯部材８２が、外径が異なる大径部８６及び小径部８４を有する。しかしながら、芯部材の外径は、一定とされても良い。なお、芯部材の外径が一定の場合には、位置決め部５２は省略されても良い。
【００８４】
また、上記実施形態では、貫通孔５０に芯部材８２の一部が配置される。しかしながら、貫通孔５０には、芯部材の少なくとも一部を配置することができる。
【００８５】
また、上記実施形態のキートップ６０は、抜止め部材７０によって筐体２０の外周壁部２４に取り付けられる。しかしながら、筐体２０に対するキートップ６０の取付構造は、適宜変更可能である。
【００８６】
また、上記実施形態では、押しボタンスイッチ３０が筐体２０の外周壁部２４に設けられる。しかしながら、押しボタンスイッチ３０は、外部に露出される筐体の壁部（外壁部、外装壁部）に設けられても良い。
【００８７】
また、上記実施形態に係る押しボタンスイッチ３０は、防水型の種々の情報処理装置に適用可能である。
【００８８】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【００８９】
なお、以上の実施形態に関し、さらに以下の付記を開示する。
【００９０】
（付記１）
貫通孔を有する壁部を備える筐体と、
前記筐体の前記壁部の内側に配置され、前記貫通孔と対向するスイッチと、
前記貫通孔に挿入され、前記スイッチに対して接離する押し部材と、
前記筐体の前記壁部の外側に配置され、前記押し部材を介して前記スイッチを押すキートップと、
を備え、
前記押し部材は、
前記貫通孔内に少なくとも一部が配置される芯部材と、
前記芯部材の外周面に設けられ、前記貫通孔の内周面に密着されるとともに該内周面に対して摺動するシール部と、
を有する、
防水型情報処理装置。
（付記２）
前記シール部は、前記芯部材の前記外周面を囲む環状を成す、
付記１に記載の防水型情報処理装置。
（付記３）
前記シール部は、前記芯部材の前記外周面と前記貫通孔の前記内周面との隙間を密閉する、
付記１又は付記２に記載の防水型情報処理装置。
（付記４）
前記貫通孔は、円形状とされ、
前記芯部材の断面形状は、円形状を成す、
付記１〜付記３の何れか１つに記載の防水型情報処理装置。
（付記５）
前記押し部材は、前記芯部材の前記外周面を囲むとともに該外周面に固定される筒状部を有し、
前記シール部は、前記筒状部と一体化され、該筒状部の外周面から突出する、
付記１〜付記４の何れか１つに記載の防水型情報処理装置。
（付記６）
前記筒状部の前記外周面と前記貫通孔の前記内周面との間に、隙間を有する、
付記５に記載の防水型情報処理装置。
（付記７）
前記シール部の外径は、前記筒状部の外径よりも大きい、
付記５又は付記６に記載の防水型情報処理装置。
（付記８）
前記キートップは、前記芯部材の一端部を支点として揺動可能に前記押し部材に支持される、
付記１〜付記７の何れか１つに記載の防水型情報処理装置。
（付記９）
前記押し部材は、前記芯部材の前記一端部に設けられる弾性部を有し、
前記芯部材の前記一端部は、前記弾性部を介して前記キートップを支持する、
付記８に記載の防水型情報処理装置。
（付記１０）
前記筐体は、前記キートップと係合し、該キートップの前記壁部から離れる方向の変位を制限するストッパ部を有し、
前記弾性部は、前記キートップを前記ストッパ部側へ付勢する、
付記９に記載の防水型情報処理装置。
（付記１１）
前記ストッパ部は、前記キートップの長手方向の両側にそれぞれ設けられる、
付記１０に記載の防水型情報処理装置。
（付記１２）
前記スイッチは、
スイッチベース部と、
前記押し部材と接触するボタン部と、
前記スイッチベース部から前記ボタン部を突出させ、前記押し部材を介して前記キートップを前記ストッパ部に圧接させる弾性体と、
を有する、
付記１０又は付記１１に記載の防水型情報処理装置。
（付記１３）
前記弾性部には、当該弾性部から両側へそれぞれ張り出す一対の張出し部が設けられる、
付記９〜付記１２の何れか１つに記載の防水型情報処理装置。
（付記１４）
前記一対の張出し部は、前記弾性部から前記キートップの長手方向の両側へそれぞれ張り出す、
付記１３に記載の防水型情報処理装置。
（付記１５）
前記一対の張出し部の先端側は、前記キートップ側へ向けてそれぞれ屈曲される、
付記１４に記載の防水型情報処理装置。
（付記１６）
前記貫通孔の前記内周面の摩擦係数は、前記壁部の表面の摩擦係数よりも小さい、
付記１〜付記１５の何れか１つに記載の防水型情報処理装置。
（付記１７）
前記貫通孔の前記内周面には、該内周面から突出するとともに、前記シール部よりも前記スイッチ側で前記芯部材の前記外周面と対向する位置決め部が設けられる、
付記１〜付記１６の何れか１つに記載の防水型情報処理装置。
（付記１８）
前記壁部は、前記キートップを収容する凹部を有し、
前記貫通孔は、前記凹部の底壁部に設けられる、
付記１〜付記１７の何れか１つに記載の防水型情報処理装置。
（付記１９）
前記キートップは、前記壁部に対して接離する、
付記１〜付記１８の何れか１つに記載の防水型情報処理装置。
（付記２０）
前記壁部は、前記筐体の外周部に沿って設けられる、
付記１〜付記１９の何れか１つに記載の防水型情報処理装置。
【符号の説明】
【００９１】
１０    防水型情報処理装置
２０    筐体
２４    外周壁部（筐体の壁部の一例）
３２    スイッチ
３２Ｂ  ボタン部
５０    貫通孔
５０Ａ  内周面（貫通孔の内周面の一例）
５２    位置決め部
６０    キートップ
７０Ａ  ストッパ部
８０    押し部材
８２    芯部材
８４Ａ  外周面（芯部材の外周面の一例）
８６Ａ  外周面（芯部材の外周面の一例）
８６Ｅ  端部（芯部材の一端部の一例）
９０    弾性部材
９２    筒状部
９２Ａ  外周面（筒状部の外周面の一例）
９４    シール部
９６    弾性部
９８    張出し部
Ｓ      隙間（芯部材の外周面と貫通孔の内周面との隙間の一例）
【図１】
2019071254.tif 000003
【図２】
2019071254.tif 000004
【図３】
2019071254.tif 000005
【図４】
2019071254.tif 000006
【図５Ａ】
2019071254.tif 000007
【図５Ｂ】
2019071254.tif 000008
【図６】
2019071254.tif 000009
【図７】
2019071254.tif 000010
【図８】
2019071254.tif 000011
【図９】
2019071254.tif 000012